(57)【特許請求の範囲】
【請求項１】
バルコニーの排水溝の下流側端部付近の底面に設けられた集水口と、前記排水溝の下流側端部に臨む略垂直の壁体を貫通して設けられたオーバーフロー用の排水経路と、前記壁体の外側面に開口する前記排水経路の吐出口に取り付けられた、生物侵入防止手段を有する保護キャップと、を備え、前記保護キャップは、円管状をした前記排水経路の吐出口を被う円筒状の本体部と、前記本体部の片方の端部に形成されたフランジ部と、前記本体部の他方の端部に形成された格子部とを備え、前記フランジ部を前記壁体の外側面に密着させた状態で前記保護キャップが前記吐出口に取り付けられたことを特徴とするバルコニー排水構造。
【請求項２】
前記壁体に開設された前記排水経路の吸込口の少なくとも一部を、前記バルコニーの床面の最下部より低い位置に配置した請求項１記載のバルコニー排水構造。
【請求項３】
前記排水経路の軸心の上流側延長線が、前記集水口の軸心の上方延長線と交差するように配置した請求項１または２記載のバルコニー排水構造。
【発明の詳細な説明】
【技術分野】
【０００１】
本発明は、建築物のバルコニーにおいて雨水などに起因する浸水を防止するための排水構造に関する。
【背景技術】
【０００２】
建築物の一部に設けられるバルコニーについては、従来、様々なデザイン、構造が提案されているが、本願に関連するものとして、例えば、図５に示すバルコニーがある。図５に示すバルコニー５０においては、建築物の躯体５１の上に下地材５２を傾斜状態に敷設し、この下地材５２を非透水性の表面材５３で被覆することによって床面５４が形成されている。そして、この床面５４の前縁部の前方には、雨水などを集水口５５に誘導するための排水溝５６が設けられ、この排水溝５６の前方にパラペット５７が立設されている。
【０００３】
図５に示すバルコニー５０において、床面５４などに降り注いだ雨水は、その下り勾配に沿って流下して排水溝５６に流れ込んだ後、排水溝５６の下り勾配に沿って下流側へ流下し、集水口５５からドレン管５８に流入して所定場所（図示せず）へ排出される。ところが、排水溝５６に集まった樹木の落ち葉や塵埃などの異物５９によって集水口５５が塞がれると、雨水Ｗが排出不能となって排水溝５６内に溜まっていく。このため、排水溝５６から雨水Ｗが溢れてバルコニー５０の外側へ漏れたり、床面５４を構成する表面材５３と下地材５２との隙間に浸入したりすることがある。バルコニー５０の外側へ溢れ出した雨水Ｗは建築物の外壁などを汚損することが多く、表面材５３と下地材５２との隙間に浸入した雨水Ｗは、下地材５２などに染み込んで腐食の原因となる。
【０００４】
このように排水溝５６の集水口５５が異物によって閉塞され、排水不良が生じると、バルコニーの床面などが浸水するため、建築物を劣化させる大きな要因となっている。そこで、雨水などによるバルコニーの浸水を防止するため、集水口が閉塞されても雨水などの排水を可能とした排水設備構造が提案されている（例えば、特許文献１参照。）。
【０００５】
【特許文献１】特開平８−１９３３９３号公報
【発明の開示】
【発明が解決しようとする課題】
【０００６】
特許文献１記載の排水設備構造によれば、バルコニーの集水口の目詰まりよって溜まった雨水などがバルコニー外へ溢れるのを防止することはできるが、バルコニーの床面の浸水を防止することはできない。このため、図５に示す、木造建築物のバルコニー５０のように、床面５４の構成部材である下地材５２などに木材が使用されている場合、浸水による腐食を防止することができない。
【０００７】
本発明が解決しようとする課題は、排水溝の集水口の目詰まりに起因するバルコニーの浸水を比較的長期間にわたって防止することのできる、バルコニー排水構造を提供することにある。
【課題を解決するための手段】
【０００８】
本発明のバルコニー排水構造は、バルコニーの排水溝の下流側端部付近の底面に設けられた集水口と、前記排水溝の下流側端部に臨む略垂直の壁体を貫通して設けられたオーバーフロー用の排水経路と、前記壁体の外側面に開口する前記排水経路の吐出口に取り付けられた、生物侵入防止手段を有する保護キャップと、を備え、前記保護キャップは、円管状をした前記排水経路の吐出口を被う円筒状の本体部と、前記本体部の片方の端部に形成されたフランジ部と、前記本体部の他方の端部に形成された格子部とを備え、前記フランジ部を前記壁体の外側面に密着させた状態で前記保護キャップが前記吐出口に取り付けられたことを特徴とする。このような構成とすれば、平常時の雨水は排水溝の下流側端部の底面にある集水口から排出され、集水口が目詰まりして排水溝内に溜まった雨水は、排水溝の下流側端部に臨む略垂直な壁体を貫通して設けられたオーバーフロー用の排水経路を通過してバルコニーの外へ排出される。このため、排水溝の集水口の目詰まりに起因するバルコニーの浸水を防止することができる。また、排水経路を略垂直の壁体に設けたことにより、排水経路の吸込口は、排水溝の下流側端部に臨んで位置する、略垂直の壁体内側面に開口するため、吸込口に落ち葉や塵埃などの異物が溜まりにくく、長期間にわたって排水機能を維持することができる。
【０００９】
ここで、前記壁体に開設された前記排水経路の吸込口の少なくとも一部を、前記バルコニーの床面の最下部より低い位置に配置することが望ましい。このような構成とすれば、集水口の目詰まりに起因して排水溝に溜まり始めた雨水などが、バルコニーの床面の最下部に達する前に、排水経路からの排水が開始されるため、バルコニーの浸水防止機能が向上する。
【００１０】
また、前記排水経路の軸心の上流側延長線が、前記集水口の軸心の上方延長線と交差するように配置することもできる。このような構成とすれば、排水溝内において集水口に向かって移動する雨水などは、進行方向を変えることなく、直線的に排水経路に向かって流れ込むことができるようになるため、排水経路の排水機能を最大限に発揮させることができる。
【００１１】
一方、本発明においては、前記壁体の外側面に開口する前記排水経路の吐出口に、生物侵入防止手段を有する保護キャップを取り付けているため、壁体の外側面に開口する排出経路の吐出口から当該排出経路内へ鳥獣類あるいは蜂などの昆虫類が侵入したり、営巣したりして、排水不良などのトラブルが発生するのを防止することができる。
【発明の効果】
【００１２】
本発明により、排水溝の集水口の目詰まりに起因するバルコニーの浸水を比較的長期間にわたって防止することができる。
【発明を実施するための最良の形態】
【００１３】
以下、図面に基づいて、本発明の実施の形態について説明する。図１は本発明の実施形態であるバルコニー排水構造を示す垂直断面図、図２は図１に示すバルコニー排水構造の平面図、図３は排水経路部分における壁体の垂直断面図、図４（ａ）は図３に示す保護キャップの正面図であり、同（ｂ）は前記保護キャップの背面図である。
【００１４】
図５に示すバルコニー１０においては、建築物の躯体１１の上に下地材１２を傾斜状態に敷設し、この下地材１２を非透水性の表面材１３で被覆することによって床面１４が形成されている。床面１４はその前縁部に向かって下り勾配をなしており、その前縁部の前方には、雨水などを集水口１５に誘導するための排水溝１６が設けられ、この排水溝１６の前方にパラペット１７が立設されている。集水口１５は、排水溝１６の下流側端部１６ａ付近の底面に開設され、その下方は、垂直方向に配管されたドレン管１９に連通している。また、排水溝１６の下流側端部１６ａに臨む垂直な壁体１８を貫通して、円管状をしたオーバーフロー用の排水経路２０が設けられている。集水口１５および排水経路２０の吸込口２０ａにはそれぞれ、異物などの侵入を防止するための四脚形状の保護部材２１，２２が装着されている。
【００１５】
図１，図２に示すバルコニー１０において、床面１４などに降り注いだ雨水は、その下り勾配に沿って流下して排水溝１６に流れ込んだ後、排水溝１６の下り勾配に沿って下流側端部１６ａへ向かって流下し、下流側端部１６ａ付近にある集水口１５に流れ込み、その下方のドレン管１９に流入して所定場所（図示せず）へ排出される。
【００１６】
前述したように、バルコニー１０は、排水溝１６の下流側端部１６ａ付近の底面に設けられた集水口１５と、排水溝１６の下流側端部１６ａに臨む垂直な壁体１８を貫通して設けられたオーバーフロー用の排水経路２０と、を備えている。従って、平常時の雨水は排水溝１６の下流側端部１６ａの底面にある集水口１５から排出され、異物などで集水口１５が目詰まりして排水溝１６内に溜まった雨水は、壁体１８を貫通して設けられたオーバーフロー用の排水経路２０を通過してバルコニー１０の外へ排出される。このため、集水口１５の目詰まりに起因するバルコニー１０の浸水を防止することができる。また、排水経路２０を略垂直の壁体１８に設けたことにより、排水経路２０の吸込口２０ａは、排水溝１６の下流側端部１６ａに臨んで位置する、垂直な壁体１８の内側面に開口するため、吸込口２０ａに落ち葉や塵埃などの異物が溜まりにくく、長期間にわたって排水機能を維持することができる。
【００１７】
また、壁体１８の内側面に開口する吸込口２０ａの約半分の領域が、バルコニー１０の床面１４の最下部１４ａより低い位置に配置されているため、集水口１５の目詰まりに起因して排水溝１６に溜まり始めた雨水Ｗが、床面１４の最下部１４ａに達する前に、排水経路２０からの排水が開始される。従って、床面１４を構成する下地材１２と表面材１３との間に雨水Ｗが浸入することがなく、優れた浸水防止機能を発揮する。
【００１８】
さらに、図１，２に示すように、排水経路２０の軸心２０ｃの上流側延長線が、集水口１５の軸心１５ｃの上方延長線と交差するように配置されているため、排水溝１６内において集水口１５に向かって移動する雨水Ｗは、進行方向（矢印２３方向）を変えることなく、直線的に排水経路２０に向かって流れ込むことができる。従って、排水経路２０の排水機能を最大限に発揮させることができる。
【００１９】
一方、図３に示すように、壁体１８の外側面に開口する排水経路２０の吐出口２０ｂに、生物侵入防止手段を有する保護キャップ２４を取り付けている。保護キャップ２４は、図４に示すように、円管状をした排水経路２０の吐出口２０ｂを被う円筒状の本体部２４ａと、本体部２４ａの片方の端部に形成されたフランジ部２４ｂと、本体部２４ａの他方の端部に形成された格子部２４ｃとを備えている。保護キャップ２４は、フランジ部２４ｂを外に向け、フランジ部２４ｂを壁体１８の外側面に密着させた状態で、排水経路２０の吐出口２０ｂに取り付けられている。格子部２４ｃは、吐出口２０ｂの開口の下半分よりやや広い領域を占めるように配置されている。格子部２４ｃを設けたことにより、吐出口２０ｂに鳥獣類あるいは蜂などの昆虫類が侵入したり、営巣したりして、排水不良などのトラブルが発生するのを防止することができる。また、保護キャップ２４を吐出口２０ｂに取り付けることにより、壁体１８の外側面に開口する吐出口２０ｂ付近の外観性、意匠性を高めることができる。
【００２０】
なお、保護キャップ２４は吐出口２０ｂに着脱可能であり、前述した保護部材２１，２２もそれぞれ集水口１５，吸込口２０ａに着脱可能であるため、排水経路２０や集水口１５の内部に侵入した異物などを取り除く際に便利であり、メンテナンス性に優れている。
【産業上の利用可能性】
【００２１】
本発明のバルコニー排水構造は、木造建築物のバルコニーなどにおいて広く利用することができる。
【図面の簡単な説明】
【００２２】
【図１】本発明の実施形態であるバルコニー排水構造を示す垂直断面図である。
【図２】図１に示すバルコニー排水構造の平面図である。
【図３】排水経路部分における壁体の垂直断面図である。
【図４】（ａ）は図３に示す保護キャップの背面図であり、（ｂ）は前記保護キャップの正面図である。
【図５】従来のバルコニーを示す概略構造図である。
【符号の説明】
【００２３】
１０  バルコニー
１１  躯体
１２  下地材
１３  表面材
１４  床面
１４ａ  最下部
１５  集水口
１５ｃ，２０ｃ  軸心
１６  排水溝
１６ａ  下流側端部
１７  パラペット
１８  壁体
１９  ドレン管
２０  排水経路
２０ａ  吸込口
２０ｂ  吐出口
２１，２２  保護部材
２３  矢印
２４  保護キャップ
２４ａ  本体部
２４ｂ  フランジ部
２４ｃ  格子部
Ｗ  雨水
【図１】
0004808019.tif 000002
【図２】
0004808019.tif 000003
【図３】
0004808019.tif 000004
【図４】
0004808019.tif 000005
【図５】
0004808019.tif 000006